(57)【要約】【課題】不審者が監視エリアに浸入したときに、浸入した不審者から離れた位置にある監視カメラでも、容易に不審者を映像に捉えることが可能な監視カメラ制御装置および監視カメラシステムを提供する。【解決手段】監視エリアＡ〜Ｄに、不審者Ｍが侵入したことを検知する検知センサからの情報を送信する機能と、受信した制御コマンドに応じてズーム機能を動作させる機能とを有する複数の監視カメラ２を制御する監視カメラ制御装置３は、複数の監視カメラ２ａ〜２ｄのいずれかから検知センサが移動体を検知した旨の情報を受信すると、検知センサが検知した監視カメラ２以外の非検知の監視カメラ２に、ズームアウト動作をさせる制御コマンドを送信する。【選択図】図２
2006115080.tif 000002
【特許請求の範囲】
【請求項１】
監視エリアに移動体が侵入したことを検知する検知センサからの情報を送信する機能と、受信した制御コマンドに応じてズーム機能を動作させる機能とを有する複数の監視カメラを制御する監視カメラ制御装置において、
前記複数の監視カメラのいずれかから前記検知センサが移動体を検知した旨の情報を受信すると、前記検知センサが検知した監視カメラ以外の非検知の監視カメラに、ズームアウト動作をさせる制御コマンドを送信する手段を備えたことを特徴とする監視カメラ制御装置。
【請求項２】
監視エリアに移動体が侵入したことを検知する検知センサからの情報を送信する機能と、受信した制御コマンドに応じてズーム機能またはレンズ移動機能を動作させる機能とを有する複数の監視カメラを制御する監視カメラ制御装置において、
前記複数の監視カメラのいずれかから前記検知センサが移動体を検知した旨の情報を受信すると、前記検知センサが検知した監視カメラ以外の非検知の監視カメラに、ズームイン動作をさせる制御コマンドと、前記検知センサが移動体を検知した監視カメラの方向へレンズを向ける制御コマンドとを送信する手段を備えたことを特徴とする監視カメラ制御装置。
【請求項３】
前記非検知の監視カメラに、ズーム機能を動作させる制御コマンドを送信するとともに、前記検知センサが検知した監視カメラに、ズームイン動作をさせる制御コマンドを送信する手段を備えたことを特徴とする請求項１または２記載の監視カメラ制御装置。
【請求項４】
監視エリアに移動体が侵入したことを検知する検知センサからの情報を送信する機能と、受信した制御コマンドに応じてズーム機能を動作させる機能とを有する複数の監視カメラと、前記複数の監視カメラを制御する監視カメラ制御装置とを有する監視カメラシステムにおいて、
前記監視カメラは、前記検知センサが移動体を検知したときに、前記監視カメラ制御装置へ検知情報を送信する手段を備え、
前記監視カメラ制御装置は、前記検知情報を受信すると、前記検知情報を送信した監視カメラ以外の非検知の監視カメラに、ズームアウト動作をさせる制御コマンドを送信する手段を備えたことを特徴とする監視カメラシステム。
【請求項５】
監視エリアに移動体が侵入したことを検知する検知センサからの情報を送信する機能と、受信した制御コマンドに応じてズーム機能を動作させる機能とを有する複数の監視カメラと、前記複数の監視カメラを制御する監視カメラ制御装置とを有する監視カメラシステムにおいて、
前記監視カメラは、前記検知センサが移動体を検知したときに、前記監視カメラ制御装置へ検知情報を送信する手段を備え、
前記監視カメラ制御装置は、前記検知情報を受信すると、前記検知情報を送信した監視カメラ以外の非検知の監視カメラに、ズームイン動作をさせる制御コマンドと、前記検知情報を送信した監視カメラの方向へレンズを移動させる制御コマンドとを送信する手段を備えたことを特徴とする監視カメラシステム。
【請求項６】
前記監視カメラ制御装置は、前記非検知の監視カメラに、ズーム機能を動作させる制御コマンドを送信するとともに、前記検知情報を送信した監視カメラに、ズームイン動作をさせる制御コマンドを送信する手段を備えたことを特徴とする請求項４または５記載の監視カメラシステム。
【発明の詳細な説明】
【技術分野】
【０００１】
本発明は、監視エリアに移動体が侵入したことを検知する検知センサからの情報を送信する機能と、受信した制御コマンドに応じてズーム機能を動作させる機能とを有し、街角や施設や屋内に設置される複数の監視カメラを制御する監視カメラ制御装置および監視カメラシステムに関する。
【背景技術】
【０００２】
犯罪を未然に防止するために監視カメラが、街角や、施設や、屋内に配置されるようになってきた。この監視カメラは、ネットワークなどを介して通信する機能を有しており、撮影した画像を送信する機能だけでなく、移動体を検知する検知センサの情報を送信する機能や、受信した制御コマンドによりズーム動作や、パン動作またはチルト動作などのレンズ移動動作など行わせることもできる。
【０００３】
街角や、施設などに監視カメラを設置する場合には、１台だけでは監視エリアをカバーすることは困難であるため、複数の監視カメラを設置する方が望ましい。
【０００４】
複数の監視カメラを備えた監視カメラシステムが特許文献１に記載されている。
【０００５】
この特許文献１に記載の監視カメラシステムは、複数の監視カメラからの映像を、監視カメラ制御ボックスを経由し、電気通信回線網に接続された監視者端末から、監視者がカメラ制御ボックスに認証を得られれば、監視することが可能となるものである。また監視者端末からは、電気通信回線網を通じて監視カメラのズーム動作やパン動作なども行うこともできる。
【特許文献１】特開２００２−７７８８２号公報
【発明の開示】
【発明が解決しようとする課題】
【０００６】
しかし、特許文献１に記載に監視カメラシステムは、電気通信回線網を通じて遠隔地から操作できるものの、不審者が複数ある監視カメラの一つに写しだされたときに、その不審者をより監視しやすい状態に、全部の監視カメラを動かそうとすると、監視者端末で監視している監視者が、いちいちパン動作やズーム動作など、レンズの向く方向や視野角の調整を行う必要があり煩雑である。この調整は、監視エリアが広くなると設置する監視カメラの台数も増えてくるので、より煩雑さが増す。
【０００７】
そこで本発明は、不審者が監視エリアに浸入したときに、浸入した不審者から離れた位置にある監視カメラでも、容易に不審者を映像に捉えることが可能な監視カメラ制御装置および監視カメラシステムを提供することを目的とする。
【課題を解決するための手段】
【０００８】
本発明の監視カメラ制御装置は、監視エリアに移動体が侵入したことを検知する検知センサからの情報を送信する機能と、受信した制御コマンドに応じてズーム機能を動作させる機能とを有する複数の監視カメラを制御する監視カメラ制御装置において、前記複数の監視カメラのいずれかから前記検知センサが移動体を検知した旨の情報を受信すると、前記検知センサが検知した監視カメラ以外の非検知の監視カメラに、ズームアウト動作をさせる制御コマンドを送信することを特徴とする。
【０００９】
また、前記検知センサが検知した監視カメラ以外の非検知の監視カメラに、ズームイン
動作させるときには、前記検知センサが移動体を検知した監視カメラの方向へレンズを移動させる制御コマンドも送信する。
【発明の効果】
【００１０】
本発明によれば、移動体である不審者を検知センサが検知すると、他の監視カメラをズームアウトさせることで、不審者から離れた位置にある監視カメラでも視野角が広がるので、不審者を映像に捉えることが可能となる。
【００１１】
また、他の監視カメラをズームインさせるとともに、検知センサが検知した監視カメラの方向へ向かせることで、不審者から離れた位置にある監視カメラでも不審者を視認しやすくなる。
【００１２】
よって、不審者が監視エリアに浸入したときに、浸入した不審者から離れた位置にある監視カメラでも、容易に不審者を映像に捉えることが可能である。
【発明を実施するための最良の形態】
【００１３】
本願の第１の発明は、監視エリアに移動体が侵入したことを検知する検知センサからの情報を送信する機能と、受信した制御コマンドに応じてズーム機能を動作させる機能とを有する複数の監視カメラを制御する監視カメラ制御装置において、複数の監視カメラのいずれかから検知センサが移動体を検知した旨の情報を受信すると、検知センサが検知した監視カメラ以外の非検知の監視カメラに、ズームアウト動作をさせる制御コマンドを送信する手段を備えたことを特徴としたものである。
【００１４】
移動体である不審者を監視カメラの検知センサが検知して監視カメラ制御装置へ送信すると、非検知の監視カメラをズームアウトさせる制御コマンドを監視カメラ制御装置が非検知の監視カメラへ送信することで、非検知のそれぞれの監視カメラの視野角を広げることができるので、非検知の監視カメラでもそれぞれで不審者を映像に捉えることができる。従って、不審者から離れた位置にある監視カメラでも不審者を映像に捉えることが可能である。非検知の監視カメラのそれぞれが不審者を映像に捉えることができるので、不審者の様々な角度または行動の内容まで詳細に監視者が把握することが可能である。
【００１５】
本願の第２の発明は、監視エリアに移動体が侵入したことを検知する検知センサからの情報を送信する機能と、受信した制御コマンドに応じてズーム機能またはレンズ移動機能を動作させる機能とを有する複数の監視カメラを制御する監視カメラ制御装置において、複数の監視カメラのいずれかから検知センサが移動体を検知した旨の情報を受信すると、検知センサが検知した監視カメラ以外の非検知の監視カメラに、ズームイン動作をさせる制御コマンドと、検知センサが移動体を検知した監視カメラの方向へレンズを向ける制御コマンドとを送信する手段を備えたことを特徴としたものである。
【００１６】
移動体である不審者を監視カメラの検知センサが検知して監視カメラ制御装置へ送信すると、監視カメラ制御装置が非検知の監視カメラをズームインさせる制御コマンドを送信するとともに、検知センサが移動体を検知した監視カメラの方向へレンズを移動させる制御コマンドを非検知の監視カメラへ送信することで、非検知のそれぞれの監視カメラが不審者から距離が離れていても、拡大して撮影することができるので、不審者の様子や行動までより詳細に監視者が把握することが可能である。
【００１７】
本願の第３の発明は、非検知の監視カメラに、ズーム機能を動作させる制御コマンドを送信するとともに、検知センサが検知した監視カメラに、ズームイン動作をさせる制御コマンドを送信する手段を備えたことを特徴としたものである。
【００１８】
監視カメラ制御装置が、非検知の監視カメラに、ズーム機能を動作させる制御コマンドを送信するとともに、検知センサが検知した監視カメラに、ズームイン動作をさせる制御コマンドを送信するので、最も不審者に近い位置にある監視カメラが不審者を拡大して撮影することができる。従って、不審者の顔や特徴を映像に捉えることができる。
【００１９】
本願の第４の発明は、監視エリアに移動体が侵入したことを検知する検知センサからの情報を送信する機能と、受信した制御コマンドに応じてズーム機能を動作させる機能とを有する複数の監視カメラと、複数の監視カメラを制御する監視カメラ制御装置とを有する監視カメラシステムにおいて、監視カメラは、検知センサが移動体を検知したときに、監視カメラ制御装置へ検知情報を送信する手段を備え、監視カメラ制御装置は、検知情報を受信すると、検知情報を送信した監視カメラ以外の非検知の監視カメラに、ズームアウト動作をさせる制御コマンドを送信する手段を備えたことを特徴としたものである。
【００２０】
移動体である不審者を監視カメラの検知センサが検知して監視カメラ制御装置へ送信すると、非検知の監視カメラをズームアウトさせる制御コマンドを監視カメラ制御装置が非検知の監視カメラへ送信することで、非検知のそれぞれの監視カメラの視野角を広げることができるので、非検知の監視カメラでもそれぞれで不審者を映像に捉えることができる。従って、不審者から離れた位置にある監視カメラでも不審者を映像に捉えることが可能である。非検知の監視カメラのそれぞれが不審者を映像に捉えることができるので、不審者の様々な角度または行動の内容まで詳細に監視者が把握することが可能である。
【００２１】
本願の第５の発明は、監視エリアに移動体が侵入したことを検知する検知センサからの情報を送信する機能と、受信した制御コマンドに応じてズーム機能を動作させる機能とを有する複数の監視カメラと、複数の監視カメラを制御する監視カメラ制御装置とを有する監視カメラシステムにおいて、監視カメラは、検知センサが移動体を検知したときに、監視カメラ制御装置へ検知情報を送信する手段を備え、監視カメラ制御装置は、検知情報を受信すると、検知情報を送信した監視カメラ以外の非検知の監視カメラに、ズームイン動作をさせる制御コマンドと、検知情報を送信した監視カメラの方向へレンズを移動させる制御コマンドとを送信する手段を備えたことを特徴としたものである。
【００２２】
移動体である不審者を監視カメラの検知センサが検知して監視カメラ制御装置へ送信すると、監視カメラ制御装置が非検知の監視カメラをズームインさせる制御コマンドを送信するとともに、検知センサが移動体を検知した監視カメラの方向へレンズを移動させる制御コマンドを非検知の監視カメラへ送信することで、非検知のそれぞれの監視カメラが不審者から距離が離れていても、拡大して撮影することができるので、不審者の様子や行動までより詳細に監視者が把握することが可能である。
【００２３】
本願の第６の発明は、監視カメラ制御装置は、非検知の監視カメラに、ズーム機能を動作させる制御コマンドを送信するとともに、検知情報を送信した監視カメラに、ズームイン動作をさせる制御コマンドを送信する手段を備えたことを特徴としたものである。
【００２４】
監視カメラ制御装置が、非検知の監視カメラに、ズーム機能を動作させる制御コマンドを送信するとともに、検知センサが検知した監視カメラに、ズームイン動作をさせる制御コマンドを送信するので、最も不審者に近い位置にある監視カメラが不審者を拡大して撮影することができる。従って、不審者の顔や特徴を映像に捉えることができる。
【００２５】
（実施の形態）
本発明の実施の形態に係る監視カメラ制御装置およびそれを用いた監視カメラシステムの構成を図１に基づいて説明する。図１は、本発明の実施の形態に係る監視カメラシステムを説明する図である。
【００２６】
図１に示すように、監視カメラシステム１は、複数の監視カメラ２（２ａ〜２ｄ）と、監視カメラ２を制御する監視カメラ制御装置３と、監視カメラ制御装置３に接続され、映像を映すモニタ４とを備えている。
【００２７】
監視カメラ２ａ〜２ｃと監視カメラ制御装置３とは、電気通信回線の一つであるインターネット５を介して通信する。監視カメラ２ａ，２ｃとインターネット５とは１００ＢＡＳＥ−Ｔなどのケーブルで図示しないルータを経由して接続され、監視カメラ２ｂとインターネット５とは、インターネット５に設けられた図示しない無線アクセススポットを介して無線により接続されている。また、監視カメラ２ｄと監視カメラ制御装置３とは、直接１００ＢＡＳＥ−ＴやＵＳＢ（Universal Serial Bus）で接続されている。これらの接続方法は、監視カメラ２の設置場所、および監視カメラ２と監視カメラ制御装置３との距離により適宜決めることができる。
【００２８】
監視カメラ２ａ〜２ｄは、商店街などの道路や、施設などの敷地を、監視エリアＡ〜Ｄのそれぞれの範囲を監視するように設置されている。監視カメラ２の設置される台数は、監視される範囲の広さに応じて決めることができるが、監視カメラ制御装置３が接続可能である台数に制限される。
【００２９】
監視カメラ２は、音波による検知センサを備えており、その到達範囲である監視エリアに移動体が浸入したことを検知することができる。この検知センサは、簡易なものであるため、移動体が浸入してきたことが検知できるが、その距離、方向までは判別できないものである。そして検知センサが移動体を検知した情報は、監視カメラ制御装置３へ送信される。
【００３０】
また、監視カメラ２は、そのレンズの視野角を調整するズームインやズームアウトを行うズーム機能や、レンズの方向を調整するパン機能やチルト機能を有している。
【００３１】
監視カメラ制御装置３は、直接、またはインターネット５経由で監視カメラ２ａ〜２ｄが送信した画像データをモニタ４へ表示する。この表示は、監視カメラ２ａ〜２ｄのいずれかが送信した画像データをモニタ４の画面全体で表示することもできるし、例えば画面を４分割して４台分同時に表示することも可能である。監視カメラ制御装置３は、監視カメラ２に対して、そのレンズの視野角を調整するズームインやズームアウトを行うズーム機能や、レンズの方向を調整するパン機能やチルト機能を制御する制御コマンドを送信する機能を有している。
【００３２】
以上のように構成される本発明の実施の形態に係る監視カメラシステムの動作を図２に基づいて説明する。図２は、本発明の実施の形態に係る監視カメラシステムの動作を説明する図である。
【００３３】
図２に示すように、監視エリアＤに移動体である不審者Ｍが侵入してきたものとする。不審者Ｍを、監視カメラ２ｄに設けられた検知センサが検知すると、検知センサが移動体を検知した旨の情報である検知情報を監視カメラ制御装置３へ送信する。
【００３４】
監視カメラ制御装置３は、この検知情報を受信すると、送信元が監視カメラ２ｄである場合には、検知センサが検知した監視カメラ２ｄ以外の非検知の監視カメラ２ａ〜２ｃへ、ズームアウト動作をさせる制御コマンドを送信する。これにより、非検知の監視カメラ２ａ〜２ｃの視野角を広げることができるので、監視カメラ２ａ〜２ｃでもそれぞれで不審者Ｍを映像に捉えることができる。従って、不審者Ｍから離れた位置にある監視カメラ２ａ〜２ｃでも不審者Ｍを映像に捉えることが可能である。
【００３５】
また、監視カメラ制御装置３は、非検知の監視カメラ２ａ〜２ｃに、ズームアウト動作をさせる制御コマンドを送信するとともに、検知センサが検知した監視カメラ２ｄに、ズームイン動作をさせる制御コマンドを送信する。これにより、最も不審者Ｍに近い位置にある監視カメラ２ｄが不審者Ｍを拡大して撮影することができるので、不審者Ｍの顔や特徴を映像に捉えることができる。
【００３６】
次に、本発明の他の実施の形態の監視カメラシステムを図３および図４に基づいて説明する。図３および図４は、本発明の他の実施の形態に係る監視カメラシステムを説明する図である。なお、図３および図４においては、図１および図２と同じ構成は同符号を付して説明を省略する。
【００３７】
図３に示すように、監視エリアＤに移動体である不審者Ｍが侵入してきたものとする。不審者Ｍを、監視カメラ２ｄに設けられた検知センサが検知すると、検知情報を監視カメラ制御装置３へ送信する。
【００３８】
監視カメラ制御装置３は、この検知情報を受信すると、送信元が監視カメラ２ｄである場合には、検知センサが検知した監視カメラ２ｄ以外の非検知の監視カメラ２ａ〜２ｃへ、ズームイン動作をさせる制御コマンドとともに、検知センサが不審者Ｍを検知した監視カメラ２ｄの方向へレンズを向ける制御コマンドとを送信する。
【００３９】
検知センサは、上述したように不審者Ｍの存在を検知することができるが、その方向や距離を正確に把握できるものではない。従って、監視カメラ２のいずれかが移動体を検知した場合には、非検知のそれぞれの監視カメラ２を、どの方向に、そしてどの程度レンズをパン動作またはチルト動作させて向けるかを、予め監視カメラ制御装置３へ設定しておくことにより正確に非検知の監視カメラ２のレンズの向きを制御することができる。つまり、移動体の存在は検知できるが、その方向や距離を測定することができない検知センサを備えた廉価な監視カメラ２としても、正確にその方向へレンズを向かせることができる。
【００４０】
このように、非検知のそれぞれの監視カメラ２ａ〜２ｃが不審者から距離が離れていても、ズームイン動作により拡大して撮影することができ、レンズの方向も不審者Ｍを検知した監視カメラ２ｄの方向へ向くので、不審者Ｍの様子や行動までより詳細に監視者が把握することが可能である。
【００４１】
また、監視カメラ制御装置３は、検知センサが検知した監視カメラ２ｄに、ズームイン動作をさせる制御コマンドを送信する。これにより、最も不審者Ｍに近い位置にある監視カメラ２ｄが不審者Ｍを拡大して撮影することができるので、不審者Ｍの顔や特徴を映像に捉えることができる。つまり、不審者Ｍを映像に捉えることが可能な全ての監視カメラ２を不審者Ｍに向けることで、不審者Ｍを様々な角度から拡大して映像に捉えることができる。
【００４２】
図４に示すように、次に不審者Ｍが進行方向Ｆへ移動して監視エリアＣへ浸入したとする。監視エリアＣへ不審者Ｍが浸入したことにより、監視カメラ２ｃの検知センサが不審者Ｍを検知する。監視カメラ２ｃは、検知情報を監視カメラ制御装置３へ送信する。監視カメラ制御装置３は、監視カメラ２ｃが不審者Ｍを検知したことで、検知センサが不審者Ｍを検知した監視カメラ２ｃの方向へレンズを向ける制御コマンドと、ズームイン動作させる制御コマンドとを非検知の監視カメラ２ａ，２ｂ，２ｄへ送信する。
【００４３】
そして、監視カメラ制御装置３は、検知した監視カメラ２ｃへは、ズームイン動作をさ
せる制御コマンドを送信する。更に、監視カメラ制御装置３は、検知前に監視カメラ２ｄの方向である監視エリアＤ方向へ向いていたレンズの方向を、監視エリアＣの方向へレンズを向くように制御コマンドを監視カメラ２ｃへ送信する。
【００４４】
以上のように、監視カメラ制御装置３は、監視カメラ２が不審者Ｍを検知していない非検知の監視カメラ２をズームイン動作またはズームアウト動作させることで不審者Ｍを映像に捉えるようにしたものであるが、このズームイン動作またはズームアウト動作のいずれかを選択するかは、監視カメラ制御装置３に設定により選択させることが可能であり、監視する範囲の広さや、使用目的より適宜決定することが可能である。
【産業上の利用可能性】
【００４５】
本発明は、不審者が監視エリアに浸入したときに、浸入した不審者から離れた位置にある監視カメラでも、容易に不審者を映像に捉えることが可能なので、街角や施設や屋内に設置される監視カメラを制御する監視カメラ制御装置に好適である。
【図面の簡単な説明】
【００４６】
【図１】本発明の実施の形態に係る監視カメラシステムを説明する図
【図２】本発明の実施の形態に係る監視カメラシステムの動作を説明する図
【図３】本発明の他の実施の形態に係る監視カメラシステムを説明する図
【図４】本発明の他の実施の形態に係る監視カメラシステムを説明する図
【符号の説明】
【００４７】
１    監視カメラシステム
２,２ａ〜２ｄ    監視カメラ
３    監視カメラ制御装置
４    モニタ
５    インターネット
【図１】
2006115080.tif 000003
【図２】
2006115080.tif 000004
【図３】
2006115080.tif 000005
【図４】
2006115080.tif 000006